【手続補正書】
【提出日】令和2年2月7日(2020.2.7)
【手続補正１】
【補正対象書類名】明細書
【補正対象項目名】０００９
【補正方法】変更
【補正の内容】
【０００９】
本発明に係る情報表示装置は、表示部に表示されたテキスト中の文字列の範囲をユーザ操作に応じて指定する文字列指定手段と、前記指定された範囲内に予め決められた文字列であるキーワードが含まれているか否かを判断する判断手段と、前記指定された範囲内に前記キーワードが含まれていると判断された場合に、前記キーワードに基づいて、外部の情報表示端末が前記キーワードに関連する問題を出題可能な所定形式の出題用データを生成する出題用データ生成手段と、前記出題用データを前記外部の情報表示端末に送信する出題用データ送信手段と、を備えている。
【手続補正２】
【補正対象書類名】明細書
【補正対象項目名】００１０
【補正方法】変更
【補正の内容】
【００１０】
本発明に係る情報表示端末は、他の情報表示端末で生成されたデータであって、前記他の情報表示端末の表示部に表示されたテキスト中のユーザが指定した範囲の文字列と、前記文字列に含まれるキーワードと、に基づいた所定形式の出題用データを前記他の情報表示端末から受信する出題用データ受信手段と、前記所定形式の出題用データに基づいて、前記ユーザが指定した範囲の文字列と前記キーワードに関連する問題を生成して前記表示部に表示させる問題表示制御手段と、を備えている。
【手続補正３】
【補正対象書類名】特許請求の範囲
【補正対象項目名】全文
【補正方法】変更
【補正の内容】
【特許請求の範囲】
【請求項１】
表示部に表示されたテキスト中の文字列の範囲をユーザ操作に応じて指定する文字列指定手段と、
前記指定された範囲内に予め決められた文字列であるキーワードが含まれているか否かを判断する判断手段と、
前記指定された範囲内に前記キーワードが含まれていると判断された場合に、前記キーワードに基づいて、外部の情報表示端末が前記キーワードに関連する問題を出題可能な所定形式の出題用データを生成する出題用データ生成手段と、
前記出題用データを前記外部の情報表示端末に送信する出題用データ送信手段と、
を備えた情報表示装置。
【請求項２】
前記出題用データ生成手段は、前記指定された範囲内に前記キーワードが含まれていると判断された場合に、前記指定された範囲の文字列と前記キーワードとに基づいた前記所定形式の出題用データを生成する、
請求項１に記載の情報表示装置。
【請求項３】
前記表示部に表示された画像または画像の部分をユーザ操作に応じて指定する画像指定手段を備え、
前記出題用データ生成手段は、前記指定された範囲内に前記キーワードが含まれていると判断された場合に、前記キーワードと前記画像指定手段により指定された画像または画像の部分に基づいた出題用データを生成する、
請求項１又は請求項２に記載の情報表示装置。
【請求項４】
複数の画像の中から指定された画像を前記表示部に表示させる画像表示制御手段を備え、
前記画像指定手段は、前記表示部に表示された画像の部分をユーザ操作に応じて指定し、
前記出題用データ生成手段は、前記指定された範囲内に前記キーワードが含まれていると判断された場合に、前記キーワードと、前記複数の画像のうちの前記指定された画像を示す情報と、前記指定された画像の前記指定された部分を示す情報と、を含む前記所定形式の出題用データを生成する、
請求項３に記載の情報表示装置。
【請求項５】
前記出題用データ生成手段は、前記指定された範囲内に前記キーワードが含まれていると判断された場合に、前記指定された範囲の文字列と、前記キーワードと、前記指定された画像または画像の部分と、に基づいた前記所定形式の出題用データを生成する、
請求項３又は請求項４に記載の情報表示装置。
【請求項６】
出題レベルを設定する出題レベル設定手段と、
前記出題レベル設定手段により設定された出題レベルを前記外部の情報表示端末に送信する出題レベル送信手段と、を備え、
前記外部の情報表示端末は、前記所定形式の出題用データに基づいて前記送信した出題レベルに応じた問題を出題するレベル別出題機能を有する、
請求項１乃至請求項５の何れか１項に記載の情報表示装置。
【請求項７】
前記出題用データに応じた問題を生成して前記表示部に表示させる問題表示制御手段を備えた請求項６に記載の情報表示装置。
【請求項８】
前記所定形式の出題用データに基づいて前記出題レベル設定手段により設定された出題レベルに応じた問題を生成して前記表示部に表示させるレベル別出題機能を備える、
請求項７に記載の情報表示装置。
【請求項９】
前記文字列指定手段により指定された範囲の文字列中の一部をユーザ操作に応じて再指定する文字列部分再指定手段を備え、
前記出題用データ生成手段は、前記文字列部分再指定手段により前記文字列指定手段により指定された範囲の文字列中の一部が再指定された場合、前記再指定された文字列中の一部を示すデータも含めて、前記所定形式の出題用データを生成し、
前記レベル別出題機能は、前記出題レベル設定手段により設定された出題レベルが第１出題レベルである場合、前記所定形式の出題用データに応じた問題を、前記文字列指定手段により指定された範囲の文字列の全体に対応した問題として生成し前記表示部に表示させ、前記出題レベル設定手段により設定された出題レベルが第２出題レベルである場合、前記所定形式の出題用データに応じた問題を、前記文字列指定手段により指定された範囲の文字列のうち前記再指定された一部を除く文字列に対応した問題として生成して前記表示部に表示させる、
請求項６乃至請求項８の何れか１項に記載の情報表示装置。
【請求項１０】
他の情報表示端末で生成されたデータであって、前記他の情報表示端末の表示部に表示されたテキスト中のユーザが指定した範囲の文字列と、前記文字列に含まれるキーワードと、に基づいた所定形式の出題用データを前記他の情報表示端末から受信する出題用データ受信手段と、
前記所定形式の出題用データに基づいて、前記ユーザが指定した範囲の文字列と前記キーワードに関連する問題を生成して前記表示部に表示させる問題表示制御手段と、
を備えた情報表示端末。
【請求項１１】
前記所定形式の出題用データは更に、前記他の情報表示端末の表示部に表示された画像内のユーザが指定した部分を示す情報を含み、
前記問題表示制御手段は、前記所定形式の出題用データに基づいて、前記ユーザが指定した範囲の文字列と前記キーワードと前記画像の部分に関連する問題を生成して前記表示部に表示させる、
請求項１０に記載の情報表示端末。
【請求項１２】
前記他の情報表示端末から受信した出題レベル、またはユーザ操作に応じて設定された出題レベルの前記所定形式の出題用データに応じた問題を生成して前記表示部に表示させる、
請求項１０又は請求項１１に記載の情報表示端末。
【請求項１３】
前記出題用データ受信手段は、前記ユーザが指定した範囲の文字列と、前記キーワードと、前記ユーザが指定した範囲の文字列の一部を示すデータも含めて受信し、
前記問題表示制御手段は、前記出題レベルが第１出題レベルである場合、前記所定形式の出題用データに応じた問題を、前記受信された文字列の全体に対応した問題として生成し前記表示部に表示させ、前記出題レベルが第２出題レベルである場合、前記所定形式の出題用データに応じた問題を、前記ユーザが指定した範囲の文字列のうち前記一部を除く文字列に対応した問題として生成して前記表示部に表示させる、
請求項１２に記載の情報表示端末。
【請求項１４】
表示部に表示されたテキスト中の文字列の範囲をユーザ操作に応じて指定する文字列指定ステップと、
前記指定された範囲内に予め決められた文字列であるキーワードが含まれているか否かを判断する判断ステップと、
前記指定された範囲内に前記キーワードが含まれていると判断された場合に、前記キーワードに基づいて、外部の情報表示端末が前記キーワードに関連する問題を出題可能な所定形式の出題用データを生成する出題用データ生成ステップと、
前記出題用データを前記外部の情報表示端末に送信する出題用データ送信ステップと、
からなる情報表示装置の制御方法。
【請求項１５】
他の情報表示端末で生成されたデータであって、前記他の情報表示端末の表示部に表示されたテキスト中のユーザが指定した範囲の文字列と、前記文字列に含まれるキーワードと、に基づいた所定形式の出題用データを前記他の情報表示端末から受信する受信ステップと、
前記所定形式の出題用データに基づいて、前記ユーザが指定した範囲の文字列と前記キーワードに関連する問題を生成して前記表示部に表示させる問題表示制御ステップと、
からなる情報表示端末の制御方法。
【請求項１６】
情報表示装置のコンピュータを、
表示部に表示されたテキスト中の文字列の範囲をユーザ操作に応じて指定する文字列指定手段、
前記指定された範囲内に予め決められた文字列であるキーワードが含まれているか否かを判断する判断手段、
前記指定された範囲内に前記キーワードが含まれていると判断された場合に、前記キーワードに基づいて、外部の情報表示端末が前記キーワードに関連する問題を出題可能な所定形式の出題用データを生成する出題用データ生成手段、
前記出題用データを前記外部の情報表示端末に送信する出題用データ送信手段、
として機能させるためのコンピュータ読み込み可能な情報表示装置の制御プログラム。
【請求項１７】
情報表示端末のコンピュータを、
他の情報表示端末で生成されたデータであって、前記他の情報表示端末の表示部に表示されたテキスト中のユーザが指定した範囲の文字列と、前記文字列に含まれるキーワードと、に基づいた所定形式の出題用データを前記他の情報表示端末から受信する出題用データ受信手段、
前記所定形式の出題用データに基づいて、前記ユーザが指定した範囲の文字列と前記キーワードに関連する問題を生成して前記表示部に表示させる問題表示制御手段、
として機能させるためのコンピュータ読み込み可能な情報表示端末の制御プログラム。